(57)【要約】【課題】MGWによるハンドオーバ制御を行うことが可能な通信システムを提供する。【解決手段】次世代通信の回線プロトコルとIPとの変換が可能な通信制御装置（MGW1;a2、MGW2;a3）と、移動端末（a1）と、を有して構成する通信システムであり、通信制御装置（MGW1;a2）は、第１のContextで通信を行っている状態で、移動端末（a1）のハンドオーバを開始する場合に、新たな第２のContextを追加し、第１のContextの下りストリームを第２のContextにコピーすることを特徴とする。【選択図】図１
2009177620.tif 000002
【特許請求の範囲】
【請求項１】
次世代通信の回線プロトコルとIPとの変換が可能な通信制御装置であって、
第１のContextで通信を行っている状態で、ハンドオーバを開始する場合に、新たな第２のContextを追加し、前記第１のContextの下りストリームを前記第２のContextにコピーすることを特徴とする通信制御装置。
【請求項２】
前記第１のContext内に新たなRTP Terminationを追加し、前記第１のContext内でTopologyを設定し、前記第１のContextの下りストリームを前記第２のContextにコピーすることを特徴とする請求項１記載の通信制御装置。
【請求項３】
ハンドオーバを切り替える場合に、前記第１のContextのTopologyを変更し、移動先と移動元の上りストリームを切り替えることを特徴とする請求項１または２記載の通信制御装置。
【請求項４】
前記第１のContext内に含まれる既存の第１のRTP TerminationとTDM Terminationを片方向ストリームとし、前記第１のRTP Terminationと前記新たなRTP Terminationを両方向ストリームとし、移動先と移動元の上りストリームを切り替えることを特徴とする請求項３記載の通信制御装置。
【請求項５】
ハンドオーバを完了する場合に、前記TDM Terminationを解放し、前記第１のRTP Terminationをアンカーとして継続して使用することを特徴とする請求項４記載の通信制御装置。
【請求項６】
前記第１のContext内に含まれる既存の第１のRTP Terminationと第２のRTP Terminationを片方向ストリームとし、前記第１のRTP Terminationと前記新たなRTP Terminationを両方向ストリームとし、移動先と移動元の上りストリームを切り替えることを特徴とする請求項３記載の通信制御装置。
【請求項７】
ハンドオーバを完了する場合に、前記第２のRTP Terminationを解放し、前記第１のRTP Terminationをアンカーとして継続して使用することを特徴とする請求項６記載の通信制御装置。
【請求項８】
前記第１のContext内に含まれる既存のTDM Terminationと第１のRTP Terminationを片方向ストリームとし、前記TDM Terminationと前記新たなRTP Terminationを両方向ストリームとし、移動先と移動元の上りストリームを切り替えることを特徴とする請求項３記載の通信制御装置。
【請求項９】
ハンドオーバを完了する場合に、前記１のRTP Terminationを解放し、前記第１のContextをアンカーとして継続して使用することを特徴とする請求項８記載の通信制御装置。
【請求項１０】
次世代通信の回線プロトコルとIPとの変換が可能な通信制御装置と、移動端末と、を有して構成する通信システムであって、
前記通信制御装置は、
第１のContextで通信を行っている状態で、前記移動端末のハンドオーバを開始する場合に、新たな第２のContextを追加し、前記第１のContextの下りストリームを前記第２のContextにコピーすることを特徴とする通信システム。
【請求項１１】
次世代通信の回線プロトコルとIPとの変換が可能な通信制御方法であって、
第１のContextで通信を行っている状態で、ハンドオーバを開始する場合に、新たな第２のContextを追加し、前記第１のContextの下りストリームを前記第２のContextにコピーすることを特徴とする通信制御方法。
【請求項１２】
次世代通信の回線プロトコルとIPとの変換が可能な通信制御プログラムであって、
第１のContextで通信を行っている状態で、ハンドオーバを開始する場合に、新たな第２のContextを追加し、前記第１のContextの下りストリームを前記第２のContextにコピーする処理を、コンピュータに実行させることを特徴とする通信制御プログラム。
【発明の詳細な説明】
【技術分野】
【０００１】
本発明は、MEGACO（MEdia GAteway COntrol）のTopology機能を用いたハンドオーバ制御に関するものである。
【背景技術】
【０００２】
近年、移動通信サービスである携帯電話機の普及が著しく、第３世代携帯電話（3GPP:3rd Generation Partnership Project）サービス、無線LAN（WLAN:Wireless Local Area Network）サービス等が普及している。なお、近年では、これらのサービスをIMS（IP Multimedia Subsystem）で統合する動きがある。
【０００３】
IMSは、IPベースのマルチメディアサービスを提供することが可能なシステムであり、また、PSTN（Public Switched Telephone Network）やインターネットと接続し、様々なサービスを提供することも可能となっている。
【０００４】
なお、第３世代携帯電話は、回線交換網を使用するCS（Circuit Switched）ドメインで構成している。しかし、IMSは、PS（Public Switched）ドメインで構成しているシステムである。このため、第３世代携帯電話をIMS網に収容するためには、CSサービスをPSサービスに変換する、即ち、CSドメインの制御プロトコルをPSドメインのSIP（Session Initiation Protocol）に変換する必要がある。
【０００５】
なお、CSドメインの制御プロトコルをPSドメインのSIPに変換する技術としては、異種無線間でのハンドオーバを行うために、信号プロトコルをSIP信号に変換する技術について開示された文献がある（例えば、特許文献１）。
【０００６】
また、U-Planeとしては、第３世代携帯電話の回線プロトコルとIPとの変換が必要になる。この制御を可能にした装置がMGW（Media GateWay）であり、異種ネットワーク間の接続機能を提供している。
【０００７】
なお、あるユーザが第３世代携帯電話を使用し、IMS網を経由して通話を行っている状態で、そのユーザが現在接続しているMGWのエリアから他のMGWのエリアに移動した場合には、移動先のMGWにハンドオーバを行い、呼を継続させる必要がある。しかし、第３世代携帯電話をIMS網に収容し、かつ、MGWを制御するシステムは現状構築されておらず、また、MGWにおいてハンドオーバ制御を行う方式についても規定されていない。このため、MGWによるハンドオーバ制御を行う仕組みが必要となる。
【０００８】
なお、本発明より先に出願された技術文献として、無線基地局にルーチング機能を持たせ、移動ノードが該機能を有する任意の無線基地局配下のセルから、該機能を有する別の任意の無線基地局配下のセルに移動する場合に、移動先の無線基地局、あるいは移動ノードが、移動元の無線基地局に対して、通信相手ノードからのパケットを移動先の無線基地局に転送するように制御する技術について開示された文献がある（例えば、特許文献２参照）。
【特許文献１】特開２００７−６０１８１号公報
【特許文献２】ＷＯ２００４／１１４６９５
【発明の開示】
【発明が解決しようとする課題】
【０００９】
なお、上記特許文献２には、移動ノードに対して無線区間で送信すべきパケットを、移動先無線基地局に対してコピーして転送する点について記載されている。しかし、上記特許文献２には、MGWによるハンドオーバ制御については何ら記載もその必用性についても示唆されていない。
【００１０】
本発明は、上記事情に鑑みてなされたものであり、上述した課題である、MGWによるハンドオーバ制御を行うことが可能な通信制御装置、通信システム、通信制御方法及び通信制御プログラムを提供することを目的とする。
【課題を解決するための手段】
【００１１】
かかる目的を達成するために、本発明は、以下の特徴を有することとする。
【００１２】
＜通信制御装置＞
本発明にかかる通信制御装置は、
次世代通信の回線プロトコルとIPとの変換が可能な通信制御装置であって、
第１のContextで通信を行っている状態で、ハンドオーバを開始する場合に、新たな第２のContextを追加し、前記第１のContextの下りストリームを前記第２のContextにコピーすることを特徴とする。
【００１３】
＜通信システム＞
本発明にかかる通信システムは、
次世代通信の回線プロトコルとIPとの変換が可能な通信制御装置と、移動端末と、を有して構成する通信システムであって、
前記通信制御装置は、
第１のContextで通信を行っている状態で、前記移動端末のハンドオーバを開始する場合に、新たな第２のContextを追加し、前記第１のContextの下りストリームを前記第２のContextにコピーすることを特徴とする。
【００１４】
＜通信制御方法＞
また、本発明にかかる通信制御方法は、
次世代通信の回線プロトコルとIPとの変換が可能な通信制御方法であって、
第１のContextで通信を行っている状態で、ハンドオーバを開始する場合に、新たな第２のContextを追加し、前記第１のContextの下りストリームを前記第２のContextにコピーすることを特徴とする。
【００１５】
＜通信制御プログラム＞
また、本発明にかかる通信制御プログラムは、
次世代通信の回線プロトコルとIPとの変換が可能な通信制御プログラムであって、
第１のContextで通信を行っている状態で、ハンドオーバを開始する場合に、新たな第２のContextを追加し、前記第１のContextの下りストリームを前記第２のContextにコピーする処理を、コンピュータに実行させることを特徴とする。
【発明の効果】
【００１６】
本発明によれば、MGWによるハンドオーバ制御を行うことが可能となる。
【発明を実施するための最良の形態】
【００１７】
まず、図１を参照しながら、本実施形態の通信システムの概要について説明する。
【００１８】
本実施形態における通信システムは、次世代通信の回線プロトコルとIPとの変換が可能な通信制御装置（MGW1;a2、MGW2;a3）と、移動端末（a1）と、を有して構成する通信システムである。そして、通信制御装置（MGW1;a2）は、第１のContextで通信を行っている状態で、移動端末（a1）のハンドオーバを開始する場合に、新たな第２のContextを追加し、第１のContextの下りストリームを第２のContextにコピーすることを特徴とする。これにより、通信制御装置（MGW）によるハンドオーバ制御を行うことが可能となる。以下、添付図面を参照しながら、本実施形態の通信システムについて詳細に説明する。
【００１９】
（第１の実施形態）
＜通信システムのシステム構成＞
まず、図１を参照しながら、本実施形態における通信システムのシステム構成について説明する。
【００２０】
本実施形態における通信システムは、発信端末（a1）と、MGW１（a2）と、MGW2（a3）と、IP網（a4）と、着信端末（a5）と、を有して構成している。
【００２１】
図１に示す通信システムでは、発信端末（a1）は、MGW1（a2）に接続し、IP網（a4）を経由して着信端末（a5）と通話を行っている。この時、発信端末（a1）が図１に示すように、MGW2（a3）の配下に移動すると、ハンドオーバを行うことになる。
【００２２】
なお、ハンドオーバの開始時の動作としては、まず、MEGACOのTopology機能を使用し、移動元のMGW1（a2）内でTopologyを設定し、移動先のMGW2（a3）を追加し、下りストリームを移動元MGW1（a2）から移動先MGW2（a3）にコピー転送する。この際、上りストリームは、移動元MGW1（a2）を選択している状態にする。
【００２３】
次に、ハンドオーバ切替時に、上りストリームは、移動先MGW2（a3）を選択している状態にする。最後に、ハンドオーバ完了状態に遷移し、上りストリーム、下りストリームは共に、移動先MGW2（a3）を選択している状態にする。
【００２４】
これにより、MGW1（a2）と接続していた発信端末（a1）は、MGW2（a3）の配下に移動した場合でも、着信端末（a5）との通話を継続することが可能となる。
【００２５】
このように、本実施形態における通信システムでは、MEGACOのTopology機能を使用し、ハンドオーバ要求時に、移動元のMGW1（a2）内でTopologyを設定し、移動元のMGW1（a2）の下りストリームを移動先のMGW2（a3）にコピー転送する。また、上りストリームの切替を実施することで、MGWにおけるハンドオーバ制御を実現することが可能となる。
【００２６】
＜Intraハンドオーバ概略図＞
次に、図２を参照しながら、Intraハンドオーバ制御について説明する。
【００２７】
図２に示す通信システムのシステム構成は、発信端末（b1）と、BSC（Base Station Controller）1（b2）と、BSC2（b3）と、MGW（b4）と、移動通信交換局（b5）と、IMS網（b6）と、着信端末（b7）と、を有して構成している。
【００２８】
発信端末（b1）、着信端末（b7）は、第３世代携帯電話機等の通信装置である。図２に示すシステム構成では、発信端末（b1）と着信端末（b7）とがIMS網（b6）を経由して通話を行っているものとする。
【００２９】
IMS網（b6）は、IPベースのマルチメディアサービスを提供するものである。なお、IMS網（b6）は、IPベースのマルチメディアサービスの提供だけではなく、PSTNやインターネットと接続し、各種サービスを提供することが可能である。
【００３０】
移動通信交換局（b5）は、第３世代携帯電話のC-Plane（Control-Plane）プロトコルとSIPとの変換を行い、第３世代携帯電話システムをIMS網（b6）に収容し、MGW（b4）の制御を行う通信制御装置である。
【００３１】
MGW（b4）は、第３世代携帯電話のU-PlaneプロトコルをIPに変換する通信制御装置である。
【００３２】
BSC1（b2）、BSC2（b3）は、第３世代携帯電話のエリア管理を行う通信制御装置である。なお、図２に示すシステム構成では、BSC1（b2）、BSC2（b3）は、移動通信交換局（b5）の配下に配置されている。
【００３３】
＜本実施形態のハンドオーバ制御＞
次に、図３、図４を参照しながら、本実施形態のハンドオーバ制御について説明する。なお、図３は、ハンドオーバ（１回目）のMGW内のContextモデル、及び、Terminationを示す図であり、図４は、ハンドオーバ（２回目）のMGW内のContextモデル、及び、Terminationを示す図である。
【００３４】
＜ハンドオーバ（１回目）＞
まず、図３を参照しながら、１回目のハンドオーバ制御について説明する。なお、図３の『通話中状態』は、Context1（100）とContext1（100）内に含まれるTDM/1 Termination（10）とRTP/1 Termination（11）が通話中であることを示している。
【００３５】
本実施形態では、移動端末（例えば、発信端末；b1）が異なるMGW配下に移動した際に、『ハンドオーバ開始状態』となる。図３では、ハンドオーバ先となる新たなContext2（200）を追加し、ハンドオーバ元のContext1（100）内に、RTP/11 Termination（12）を追加する。なお、新たなContext2（200）は、TDM/2 Termination（20）とRTP/2 Termination（21）とを含でいる。そして、Topologyを設定し、RTP/1 Termination（11）、RTP/11 Termination（12）を片方向ストリームとし、移動先Context2（200）に対し、下りストリームのコピーを開始する。
【００３６】
次に、図３に示す『ハンドオーバ切替状態』に遷移し、Topologyの変更を行う。RTP/1 Termination（11）、TDM/1 Termination（10）を片方向ストリームに変更し、また、RTP/1 Termination（11）、RTP/11 Termination（12）を両方向ストリームに変更し、移動元と移動先のストリームの切替を行う。
【００３７】
最後に、図３に示す『ハンドオーバ完了状態』に遷移し、TDM/1 Termination（10）のみを解放し、RTP/1 Termination（11）をアンカーとして継続して使用する。
【００３８】
＜ハンドオーバ（２回目）＞
次に、図４を参照しながら、２回目のハンドオーバ制御について説明する。なお、図４の『通話中状態』は、Context1（100）とContext1（100）内に含まれるRTP/11 Termination（12）とRTP/1 Termination（11）が通話中であることを示している。
【００３９】
本実施形態では、移動端末（例えば、発信端末；b1）が異なるMGW配下に移動した際に、『ハンドオーバ開始状態』となる。図４では、ハンドオーバ先となる新たなContext3（300）を追加し、ハンドオーバ元のContext1（100）内に、RTP/12 Termination（13）を追加する。なお、新たなContext3（300）は、TDM/3 Termination（30）とRTP/3 Termination（31）とを含でいる。そして、Topologyを設定し、RTP/1 Termination（11）、RTP/12 Termination（13）を片方向ストリームとし、移動先Context3（300）に対し、下りストリームのコピーを開始する。
【００４０】
次に、図４に示す『ハンドオーバ切替状態』に遷移し、Topologyの変更を行う。RTP/1 Termination（11）、RTP/11 Termination（12）を片方向ストリームに変更し、また、RTP/1 Termination（11）、RTP/12 Termination（13）を両方向ストリームに変更し、移動元と移動先のストリームの切替を行う。
【００４１】
最後に、図４に示す『ハンドオーバ完了状態』に遷移し、RTP/11 Termination（12）のみを解放し、RTP/1 Termination（11）をアンカーとして継続して使用する。
【００４２】
＜図２に示す通信システムと、図３、図４に示すハンドオーバ制御と、の関係＞
次に、図２に示す通信システムを例として、図３、図４に示すハンドオーバ制御を説明する。
【００４３】
＜ハンドオーバ（１回目）＞
まず、図２、図３を参照しながら、１回目のハンドオーバ制御について説明する。なお、図２において、発信端末（b1）と着信端末（b7）とのU-Planeは、BSC1（b2）、MGW（b4）を介して通話を行っているものとする。
【００４４】
なお、図３に示す『通話中状態』でのContextは、Context1（100）にTDM/1 Termination（10）と、RTP/1 Termination（11）と、が存在している。
【００４５】
図２で発信端末（b1）が、BSC1（b2）の配下から、BSC2（b3）の配下に移動すると、BSC1（b2）からC-Plane信号で移動通信交換局（b5）に対し、ハンドオーバ要求を行う。
【００４６】
ハンドオーバ要求を受信した移動通信交換局（b5）は、BSC2（b3）に対し、ハンドオーバ要求を行い、MGW（b4）に対し、MEGACOプロトコルでAddリクエストを送信する。
【００４７】
MGW（b4）は、Addリクエストを受信すると、図３に示す『ハンドオーバ開始状態』に遷移し、ハンドオーバ先のContext2（200）を作成し、図２に示す移動通信交換局（b5）に対し、Addリプライを返信する。なお、Context2（200）には、TDM/2 Termination（20）と、RTP/2 Termination（21）と、が含まれる。
【００４８】
移動通信交換局（b5）は、MGW（b4）に対し、Addリクエストを送信し、MGW（b4）は、Addリクエストを受信すると、図３に示すハンドオーバ元のContext1（100）に対し、RTP/11 Termination（12）を追加する。また、MGW(b4)は、TDM/1 Termination（10）とRTP/1 Termination（11）、RTP/1 Termination（11）とRTP/11 Termination（12）のTopologyの設定を行う。また、RTP/1 Termination（11）とRTP/11 Termination（12）を片方向のストリームにし、移動先Context2（200）に対し、下りストリームのコピー転送を開始する。ここで、MGW（b4）は、移動通信交換局（b5）に対し、Addリプライを返信する。
【００４９】
次に、移動通信交換局（b5）は、MGW（b4）に対し、Modリクエストを送信し、MGW（b4）は、Modリクエストを受信すると、図３に示すRTP/11 Termination（12）とRTP/2 Termination（21）を両方向ストリームにする。そして、MGW（b4）は、移動通信交換局（b5）に対し、Modリプライを返信する。
【００５０】
次に、移動通信交換局（b5）は、MGW（b4）に対し、Modリクエストを送信し、MGW（b4）は、Modリクエストを受信すると、図３に示す『ハンドオーバ切替状態』に遷移し、TDM/1 Termination（10）とRTP/1 Termination（11）、RTP/1 Termination（11）とRTP/11 Termination（12）のTopologyの変更を行う。ここで、MGW（b4）は、RTP/1 Termination（11）とTDM/1 Termination（10）を片方向ストリームに変更し、RTP/1 Termination（11）とRTP/11 Termination（12）を両方向ストリームに変更し、移動先と移動元の上りストリームを切り替える。切替を終了した場合に、MGW（b4）は、移動通信交換局（b5）に対し、Modリプライを返信する。
【００５１】
次に、移動通信交換局（b5）は、MGW（b4）に対し、Subリクエストを送信し、MGW（b4）は、Subリクエストを受信した場合に、図３に示す『ハンドオーバ完了状態』に遷移し、MGW（b4）は、不要となったTDM/1 Termination（10）の解放を行い、そのTDM/1 Termination（10）の解放を完了した場合に、移動通信交換局（b5）に対し、Subリプライを返信する。
【００５２】
なお、MGW（b4）は、図３に示すように、RTP/1 Termination（11）をアンカーとして継続して使用することになる。
【００５３】
＜ハンドオーバ（２回目）＞
次に、図２、図４を参照しながら、２回目のハンドオーバ制御について説明する。なお、図４に示す『通話中状態』では、Context１（100）とContext１（100）内に含まれるRTP/11 Termination（12）とRTP/1 Termination（11）が通話中であることを示している。
【００５４】
ここで、移動端末が異なるMGW配下に移動した場合、MGWは、Addリクエストを受信し、図４に示す『ハンドオーバ開始状態』に遷移し、ハンドオーバ先のContext3（300）を作成し、図２に示す移動通信交換局（b5）に対し、Addリプライを返信する。なお、Context3（300）には、TDM/3 Termination（30）と、RTP/3 Termination（31）と、が含まれる。
【００５５】
次に、MGW（b4）は、Addリクエストを受信すると、図４に示すハンドオーバ元のContext1（100）に対し、RTP/12 Termination（13）を追加する。また、MGW（b4）は、RTP/11 Termination（12）とRTP/1 Termination（11）、RTP/1 Termination（11）とRTP/12 Termination（13）のTopologyの設定を行う。また、RTP/1 Termination（11）とRTP/12 Termination（13）を片方向のストリームに変更し、移動先Context3（300）に対し、下りストリームのコピー転送を開始する。ここで、MGW（b4）は、移動通信交換局（b5）に対し、Addリプライを返信する。
【００５６】
次に、MGW（b4）は、Modリクエストを受信すると、図４に示すRTP/12 Termination（13）とRTP/3 Termination（31）を両方向ストリームにする。そして、MGW（b4）は、移動通信交換局（b5）に対し、Modリプライを返信する。
【００５７】
次に、MGW（b4）は、Modリクエストを受信すると、図４に示す『ハンドオーバ切替状態』に遷移し、RTP/11 Termination（12）とRTP/1 Termination（11）、RTP/1 Termination（11）とRTP/12 Termination（13）のTopologyの変更を行う。ここで、MGW（b4）は、RTP/1 Termination（11）とRTP/11 Termination（12）を片方向ストリームに変更し、RTP/1 Termination（11）とRTP/12 Termination（13）を両方向ストリームに変更し、移動先と移動元の上りストリームを切り替える。切替を終了した場合に、MGW（b4）は、移動通信交換局（b5）に対し、Modリプライを返信する。
【００５８】
次に、MGW（b4）は、Subリクエストを受信した場合に、図４に示す『ハンドオーバ完了状態』に遷移し、MGW（b4）は、不要となったRTP/11 Termination（12）の解放を行い、そのRTP/11 Termination（12）の解放を完了した場合に、移動通信交換局（b5）に対し、Subリプライを返信する。
【００５９】
なお、MGW（b4）は、図４に示すように、RTP/1 Termination（11）をアンカーとして継続して使用することになる。
【００６０】
なお、上述した実施形態では、図３、図４に示す処理動作を、同一のMGW（b4）が行うことを前提として説明したが、上述した処理動作を、異なるMGWが行うことも可能である。なお、図３は、同一のMCW内でのハンドオーバを想定しているため、同一のMGWが図３に示す処理動作を行うことにしたが、図４については、ハンドオーバ先のContext3（300）が異なるMGWの場合には、上述した処理動作を異なるMGWが行うことになる。
【００６１】
このように、本実施形態における通信システムでは、MEGACOのTopology機能を使用し、ハンドオーバ要求時に、ハンドオーバ元のContext内でTopologyを設定し、ハンドオーバ先のContextを追加し、ハンドオーバ元のContext内の下りストリームをハンドオーバ先のContextにコピー転送する。また、上りストリームの切替を実施することで、MGWにおけるハンドオーバ制御を実現することが可能となる。
【００６２】
また、ハンドオーバ完了後は、RTPとRTPのContextモデルをアンカーとして使用するため、同じMGW制御ノード配下でのIntraハンドオーバ制御の場合でも、また、複数のノードを経由するハンドオーバForward制御の場合でも、同様な制御を行うことが可能となる。
【００６３】
（第２の実施形態）
次に、第２の実施形態について説明する。
【００６４】
第２の実施形態における通信システムでは、MSC（Mobile Switching Center）をアンカーとして使用する。この場合も、第１の実施形態と同様にハンドオーバ制御を行うことが可能となる。以下、図５を参照しながら、第２の実施形態について詳細に説明する。なお、図５は、第２の実施形態におけるハンドオーバのContextモデル、及び、Terminationを示す図である。
【００６５】
いま、第３世代携帯電話システムのMSC局と移動通信交換局との間でハンドオーバを行った状態とする。
【００６６】
図５に示す『通話中状態』では、TDM/4 Termination（40）が、MSCの回線と接続し、RTP/4 Termination（41）とRTP/5 Termination（51）とが接続し、TDM/5 Termination（50）が、加入者と接続している状態を示している。
【００６７】
ここで、移動端末が異なるMGWの配下に移動した場合、MGWは、Addリクエストを受信し、図５に示す『ハンドオーバ開始状態』に遷移する。MGWは、ハンドオーバ先の新たなContext6（600）を追加し、Addリプライを返信する。なお、Context6（600）には、TDM/6 Termination（60）とRTP/6 Termination（61）とが含まれている。
【００６８】
次に、MGWは、Addリクエストを受信すると、ハンドオーバ元のContext4（400）内に、RTP/41 Termination（42）を追加し、TDM/4 Termination（40）とRTP/4 Termination（41）、TDM/4 Termination（40）とRTP/41 Termination（42）のTopologyを設定する。また、MGWは、TDM/4 Termination（40）とRTP/41 Termination（42）を片方向ストリームとし、移動先Context6（600）に対し、下りストリームのコピーを開始する。そして、MGWは、Addリプライを返信する。
【００６９】
次に、MGWは、Modリクエストを受信すると、RTP/41 Termination（42）とRTP/6 Termination（61）を両方向ストリームにする。
【００７０】
次に、MGWは、Modリクエストを受信すると、図５に示す『ハンドオーバ切替状態』に遷移し、Topologyの変更を行う。そして、MGWは、TDM/4 Termination（40）とRTP/4 Termination（41）を片方向ストリームに変更し、また、TDM/4 Termination（40）とRTP/41 Termination（42）を両方向ストリームに変更し、移動元と移動先のストリームの切替を行う。そして、MGWは、Modリプライを返信する。
【００７１】
最後に、MGWは、Subリクエストを受信すると、図５に示す『ハンドオーバ完了状態』に遷移し、RTP/4 Termination（41）のみを解放し、Subリプライを返信する。
【００７２】
更に、MGWは、Subリクエストを受信すると、Context５（500）の削除を行い、Subリプライを返信する。
【００７３】
なお、MGWは、Context4 （400）をアンカーとして継続して使用する。
【００７４】
このように、本実施形態の通信システムでは、アンカーがMSCであっても、MEGACOのTopology機能を用い、ハンドオーバを実現することが可能となる。
【００７５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００７６】
例えば、上述した図３〜図５に示す処理動作は、同一のMGWが行ったり、異なるMGWが行ったりすることは言うまでもない。また、上記実施形態では、MGWは、第３世代携帯電話のU-PlaneプロトコルをIPに変換するものとして説明したが、第３世代に限定するものではなくN（Nは、任意の整数）次世代のプロトコルを変換するように構築することも可能である。
【００７７】
また、上述した本実施形態における通信システムを構成する各装置における制御動作は、ハードウェア、または、ソフトウェア、あるいは、両者の複合構成を用いて実行することも可能である。
【００７８】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００７９】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【００８０】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【００８１】
また、本実施形態における通信システムは、上記実施形態で説明した処理動作に従って時系列的に実行されるのみならず、処理を実行する装置の処理能力、あるいは、必要に応じて並列的にあるいは個別に実行するように構築することも可能である。
【００８２】
以上の説明から明らかなように、本実施形態は、以下の特徴を有することになる。
【００８３】
本実施形態におけるMGWは、次世代通信の回線プロトコルとIPとの変換が可能な通信制御装置であって、
第１のContext（例えば、図３に示すContext1;100）で通信を行っている状態で、ハンドオーバを開始する場合に、新たな第２のContext（例えば、Context2;200）を追加し、第１のContext（100）の下りストリームを第２のContext（200）にコピーすることを特徴とする。
また、本実施形態におけるMGWは、
第１のContext（100）内に新たなRTP Termination（例えば、図３に示すRTP/11 Termination;12）を追加し、第１のContext（100）内でTopologyを設定し、第１のContext（100）の下りストリームを第２のContext（200）にコピーすることを特徴とする。
また、本実施形態におけるMGWは、
ハンドオーバを切り替える場合に、第１のContext（100）のTopologyを変更し、移動先と移動元の上りストリームを切り替えることを特徴とする。
また、本実施形態におけるMGWは、
第１のContext（100）内に含まれる既存の第１のRTP Termination（RTP/1 Termination;11）とTDM Termination（TDM/1 Termination;10）を片方向ストリームとし、第１のRTP Termination（11）と新たなRTP Termination（12）を両方向ストリームとし、移動先と移動元の上りストリームを切り替えることを特徴とする。
また、本実施形態におけるMGWは、
ハンドオーバを完了する場合に、TDM Termination（10）を解放し、第１のRTP Termination（11）をアンカーとして継続して使用することを特徴とする。
【００８４】
また、本実施形態におけるMGWは、
第１のContext（例えば、図４に示すContext1;100）内に含まれる既存の第１のRTP Termination（RTP/1 Termination;11）と第２のRTP Termination（RTP/11 Termination;12）を片方向ストリームとし、第１のRTP Termination（11）と新たなRTP Termination（RTP/12 Termination;13）を両方向ストリームとし、移動先と移動元の上りストリームを切り替えることを特徴とする。
また、本実施形態におけるMGWは、
ハンドオーバを完了する場合に、第２のRTP Termination（12）を解放し、第１のRTP Termination（11）をアンカーとして継続して使用することを特徴とする。
【００８５】
また、本実施形態におけるMGWは、
第１のContext（例えば、図４に示すContext4;400）内に含まれる既存のTDM Termination（TDM/4 Termination;40）と第１のRTP Termination（RTP/4 Termination;41）を片方向ストリームとし、TDM Termination（40）と新たなRTP Termination（RTP/41 Termination;42）を両方向ストリームとし、移動先と移動元の上りストリームを切り替えることを特徴とする。
また、本実施形態におけるMGWは、
ハンドオーバを完了する場合に、１のRTP Termination（41）を解放し、第１のContext（400）をアンカーとして継続して使用することを特徴とする。
【００８６】
これにより、本実施形態におけるMGWは、ハンドオーバ制御を行うことが可能となる。
【産業上の利用可能性】
【００８７】
本発明は、ハンドオーバ制御を行う通信システムに適用可能である。
【図面の簡単な説明】
【００８８】
【図１】本実施形態の通信システムのシステム構成例を示す第１の図である。
【図２】本実施形態の通信システムのシステム構成例を示す第２の図である。
【図３】本実施形態におけるハンドオーバ（１回目）のContextモデル、および、Terminationを示す図である。
【図４】本実施形態におけるハンドオーバ（２回目）のContextモデル、および、Terminationを示す図である。
【図５】第２の実施形態におけるハンドオーバのContextモデル、および、Terminationを示す図である。
【符号の説明】
【００８９】
a1    発信端末
a2    MGW1
a3    MGW2
a4    IP網
a5    着信端末
b1    発信端末
b2    BSC1
b3    BSC2
b4    MGW
b5    移動通信交換局
b6    IMS網
b7    着信端末
【図１】
2009177620.tif 000003
【図２】
2009177620.tif 000004
【図３】
2009177620.tif 000005
【図４】
2009177620.tif 000006
【図５】
2009177620.tif 000007